(57)【要約】【課題】温風をペットに送風して乾燥させるペットを乾燥であって、送風する課程における圧力損失を小さくすることにより、エネルギー効率を高くしたペットの乾燥機１を提供することにある。また、大型のペットを乾燥させることが可能なペットの乾燥機を使用して、小型のペットを乾燥させる場合に、最も効率的にペットを乾燥させることができる位置にペットが居るようにすることを可能としたペットの乾燥機１を提供することにある。【解決手段】５０％以上の開孔率を有する部材で構成した籠２を水平に設置し、籠の胴部２ａの外周を略環状に取り巻く複数の風洞３、４、５を設けて、暖めた空気を各風洞に送風して、籠２の中に入れたペットに温風を当てるように構成する。また、ペットの乾燥機１の籠２の中にスペーサ１８を設け、小型のペット用の差込籠１７を籠２の中央に位置するようにして取り付ける。【選択図】図１
2007259746.tif 000002
【特許請求の範囲】
【請求項１】
開口を有する筒状の籠であって５０％以上の開孔率を有する部材で胴部と底部を構成した籠を、前記開口を前側に前記底部を後側にしてケーシングの中に取り付け、前記開口に合わせて前記ケーシングに扉を設け、
前記籠の胴部の外側を前後方向においてｎ個の仕切で分割し、最も底部に近い第１仕切から前記底部近傍にかけて、前記籠の胴部を略環状に取り巻く第１側面を取り付けて第１風洞を構成し、２番目に底部に近い第２仕切から前記第１側面の後側の端面近傍にかけて、前記籠の胴部及び前記第１風洞を略環状に取り巻く第２側面を取り付けて第２風洞を構成し、３番目に底部に近い第３仕切から前記第２側面の後側の端面近傍にかけて、前記籠の胴部及び前記第２風洞を略環状に取り巻く第３側面を取り付けて第３風洞を構成し、さらに以上と同様にして第（ｎ−１）風洞まで構成し、
前記底部からｎ番目の仕切から第（ｎ−１）側面の後側の端面を越えて、前記籠の胴部及び前記第（ｎ−１）風洞を略環状に取り巻く第ｎ側面を取り付けて第ｎ風洞を構成し、さらに、前記第ｎ側面には第１風洞〜第（ｎ−１）風洞の全ての風洞及び前記籠の底部を囲うようにして風洞後面を取り付け、
前記風洞後面には開口を設け、前記開口にファンとヒータを取り付け、前記籠の底部には整流板を取り付け、
前記底部からｎ番目の仕切とケーシングの前面との間、前記第ｎ側面とケーシングの天井面、床面又は側面のいずれかとの間及び前記風洞後面とケーシングの後面との間にそれぞれ空間を設けて、これを帰道風洞としたことを特徴とするペットの乾燥機。
【請求項２】
開口を有する筒状の籠であって５０％以上の開孔率を有する部材で胴部と底部を構成した籠を、前記開口を前側に前記底部を後側にしてケーシングの中に取り付け、前記開口に合わせて前記ケーシングに扉を設け、
前記籠の胴部の外側を前後方向において３個の仕切で分割し、最も底部に近い第１仕切から前記底部近傍にかけて、前記籠の胴部を略環状に取り巻く第１側面を取り付けて第１風洞を構成し、２番目に底部に近い第２仕切から前記第１側面の後側の端面近傍にかけて
、前記籠の胴部及び前記第１風洞を略環状に取り巻く第２側面を取り付けて第２風洞を構成し、
前記底部から３番目の第３仕切から前記第２側面の後側の端面を越えて、前記籠の胴部及び前記第２風洞を略環状に取り巻く第３側面を取り付けて第３風洞を構成し、さらに、前記第３側面には第１風洞と第２風洞及び前記籠の底部を囲うようにして風洞後面を取り付け、
前記風洞後面には開口を設け、前記開口にファンとヒータを取り付け、前記籠の底部には整流板を取り付け、
前記底部から３番目の仕切とケーシングの前面との間、前記第３側面とケーシングの天井面、床面又は側面のいずれかとの間及び前記風洞後面とケーシングの後面との間にそれぞれ空間を設けて、これを帰道風洞としたことを特徴とするペットの乾燥機。
【請求項３】
請求項１又は請求項２のいずれかに記載したペットの乾燥機において、帰道風洞を構成するケーシングの天井面又は側面の少なくともいずれかに開口を設けて網を取り付け、さらに、帰道風洞を構成するケーシングの後面に開口を設けてフィルタを取り付けたことを特徴とするペットの乾燥機。
【請求項４】
請求項１〜請求項３のいずれかに記載したペットの乾燥機において、扉にペットが外に顔を出すことを可能とする首穴を設けたことを特徴とするペットの乾燥機。
【請求項５】
請求項４に記載したペットの乾燥機において、扉が上下方向に長大な長穴を有するものとし、前記扉に穴を有する首穴板を重ね、前記長穴と前記穴とで構成する開口を首穴としたことを特徴とするペットの乾燥機。
【請求項６】
籠の中に格納したペットに温風を吹き付け又は送風することによりペットを乾かすペットの乾燥機において、前記籠に保持具を取り付け取り外し可能に設け、前記保持具により差込籠を前記籠の中において保持する構成とし、前記差込籠が前面に穴を有する筒状の形状を有し、５０％以上の開孔率を有する部材で胴面と底面を構成した差込籠であることを特徴とするペットの乾燥機。
【請求項７】
籠の中に格納したペットに温風を吹き付け又は送風することによりペットを乾かすペットの乾燥機において、保持具を有しまた前面に穴を有する筒状の差込籠であって、５０％以上の開孔率を有する部材で胴面と底面を構成した差込籠を、前記籠の中に取り付け可能に構成したことを特徴とするペットの乾燥機。
【発明の詳細な説明】
【技術分野】
【０００１】
本発明は、家庭で飼育するペットを洗った後に各家庭においてペットを乾かすために使用することに適したペットの乾燥機、及びトリミング店や獣医などがペットを洗った後にペットを乾かすために使用することに適したペットの乾燥機に関する。
特に、温風をノズルから高速の噴流にして吹き出させることなく、ファンで送風する比較的静かな風（以下単に「静風」という。）をペットに向かって送ることを特徴としたペットの乾燥機に関する。
【背景技術】
【０００２】
家庭の屋内で犬、猫、ウサギ、フェレットなどをペットとして飼育している場合や、トリミング店や獣医では頻繁にペットを洗うことが行われている。通常ペットを洗うときはペットを洗った後にタオルで拭き、その後ドライヤーを使用して温風を吹き付けてペットを乾燥させていた。
しかし体全体に長い毛を有するペットの場合は、乾燥のために長時間を要する問題があった。また、ペットはおとなしくじっとしていることは少なく常に動くため、ペットを静止させるために手間がかかり飼い主やトリマーなどの大きな負担となっていた。さらに、ペットから抜け落ちた毛が舞いあがり部屋の中に毛が散乱して掃除の手間がかかる問題を有していた。
飼い主やトリマーなどに負担をかけず短時間に効率よくペットの乾燥を可能としたものとして、ケーシングの中に設けた開口率の高い部材からなる概略円筒形状の籠の中にペットを格納し、籠の概略円筒面の外側を公転するノズルダクトを設け、ヒータで暖めた温風をノズルからペットに向かって吹き出させるペットの乾燥機があった（例えば、特許文献１、２、３参照。）
しかし、これらのペットの乾燥機は温風をノズルによって加速し高速の噴流として、ペットに吹き付けるため、ブロアからノズルまでのダクトにおける圧力損失及びノズルにおいて加速するために要する圧力損失が大きく、過大なブロアを必要としエネルギーの消費が大きくなる問題を有していた。
また、ペットの乾燥機においては籠の中心付近にペットがいることが、最も効率的にペットを乾燥させるために好ましいが、大型のペット用のペットの乾燥機に小さなペットを入れると、ペットが籠の中の片寄った位置に寄ってしまう問題があった。
【特許文献１】実用新案登録第３１１２７７９号
【特許文献２】実用新案登録第３１１３１５５号
【特許文献３】実用新案登録第３１１５６５９号
【発明の開示】
【発明が解決しようとする課題】
【０００３】
本発明の目的は、飼い主やトリマーなどに負担をかけず、短時間に効率よく大型から小型までのペットを乾燥させることができるペットの乾燥機であって、圧力損失が小さくエネルギーの消費の小さなペットの乾燥機を提供することにある。
また、大型のペットを乾燥させることが可能なペットの乾燥機を使用して小型のペットを乾燥させる場合に、最も効率的にペットを乾燥させることができる位置にペットが居るようにすることを可能としたペットの乾燥機を提供することにある。
【課題を解決するための手段】
【０００４】
ペットを格納可能な大きさを有する筒状の籠であって、５０％以上の開孔率を有する部材で胴部と底部を構成した籠を水平に設置し、籠の胴部の外周を略環状に取り巻く複数の風洞を多段に設けて暖めた空気を各風洞に送風し、それぞれの風洞を経て籠の胴部を通過させて籠の胴の回りから、さらには底部を通過して後方から、籠の中に入れたペットに温風を送風するように構成する。
また、大型のペットを乾燥させることのできるペットの乾燥機の籠の中に差込籠を取り付け、前面側から見た正面視において差込籠が籠の中央に位置するようにして、差込籠の中に小型のペットを入れるように構成する。
【発明の効果】
【０００５】
本発明により、飼い主やトリマーなどに負担をかけず、短時間に効率的にペットを乾燥させることを可能としたペットの乾燥機を提供することができた。
本発明により、温風を送るダクトが不要となり、温風をノズルにより高速に加速する必要がなくなった。このため、ペットに送風する温風の圧力損失が小さくなり、エネルギー効率の高いペットの乾燥機を提供することができた。
また、小型のペット用の差込籠を正面視において籠の中央に取り付け、小型のペットを差込籠の中に入れることにより、片寄った位置に寄ってしまうことを防止して、最も効率的にペットが温風を受けるように構成したペットの乾燥機を提供することができた。
【発明を実施するための最良の形態】
【０００６】
請求項１の発明は、開口を有する筒状の籠であって５０％以上の開孔率を有する部材で胴部と底部を構成した籠を、開口を前側に底部を後側にしてケーシングの中に取り付け、開口に合わせてケーシングに扉を設ける。
籠の材料としては打ち抜き材料、網状の材料、格子状の材料、簀の子状の材料、エキスパンドメタル状の材料などが考えられ、胴部や底部の全面積に対する空間の比率である開孔率が５０％以上になるようにする。開孔率は６０％、７０％、８０％、９０％と高くすれば高いほど良く、可能な限り開孔率を１００％に近づけることが好ましい。
しかし、開孔率を高くするために過度に目の粗い材料でペットの足が乗る部分を構成するとペットが足を踏み外す問題が生じる。かかる場合は、ペットの足が乗る部分のみ開孔率の低い材料として、他の部分に開孔率の高い部材を用いることにより、全体として高い開孔率を有する胴部とする方法は有効である。
また、籠の胴部の外側を前後方向においてｎ個の仕切で分割し、最も底部に近い第１仕切から底部近傍にかけて、籠の胴部を略環状に取り巻く第１側面を取り付けて第１風洞を構成し、第１側面の後側の端面と籠の胴部との間の空間を第１導入口とする。
また、２番目に底部に近い第２仕切から第１側面の後側の端面近傍にかけて、籠の胴部及び第１風洞を略環状に取り巻く第２側面を取り付けて第２風洞を構成し、第２側面の後側の端面と第１側面の後側の端面との間の空間を第２導入口とする。
また、３番目に底部に近い第３仕切から第２側面の後側の端面近傍にかけて、籠の胴部及び第２風洞を略環状に取り巻く第３側面を取り付けて第３風洞を構成し、第３側面の後側の端面と第２側面の後側の端面との間の空間を第３導入口とする。
さらに以上と同様にして第（ｎ−１）風洞まで構成し、底部からｎ番目の仕切から第（ｎ−１）側面の後側の端面を越えて、籠の胴部及び第（ｎ−１）風洞を略環状に取り巻く第ｎ側面を取り付けて第ｎ風洞を構成し、第ｎ側面と第（ｎ−１）側面の後ろ側の端面との間の空間を第ｎ導入口とし、第ｎ側面には第１風洞〜第（ｎ−１）風洞の全ての風洞及び籠の底部を囲うようにして風洞後面を取り付ける。
また、風洞後面には開口を設けてファンとヒータを取り付け、籠の底部には整流板を取り付ける。このようにすることにより、ファンにより送風した空気がヒータにより暖められ、整流板によってｎ個の風洞の各導入口に流れると共に、一部は籠の底部を通って後方からペットに向かって流れるようにしたものである。
さらに、ｎ個の風洞を通った温風は、ｎ個に仕切られた籠の胴部をそれぞれ通過して、籠の中に入れたペットの外側全周からペットに向かって流れるようにしたものである。
そして、底部からｎ番目の仕切とケーシングの前面との間、第ｎ側面とケーシングの天井面、床面又は側面のいずれかとの間及び風洞後面とケーシングの後面との間にそれぞれ空間を設けて、これを帰道風洞としたペットの乾燥機とする。
帰道風洞は、ペットに送った静風を風洞後面に取り付けたファンまで還流させるための風の道であり、暖かい空気を何回も循環させて送風することにより、小型のヒータで稼働可能な構成として、エネルギーの無駄な消費を防いだものである。
【０００７】
請求項２の発明は、開口を有する筒状の籠であって５０％以上の開孔率を有する部材で胴部と底部を構成した籠を、開口を前側に底部を後側にしてケーシングの中に取り付け、開口に合わせてケーシングに扉を設ける。
また、籠の胴部の外側を前後方向において３個の仕切で分割し、最も底部に近い第１仕切から底部近傍にかけて、籠の胴部を略環状に取り巻く第１側面を取り付けて第１風洞を構成し、第１側面の後側の端面と籠の胴部との間の空間を第１導入口とする。
また、２番目に底部に近い仕切から第１側面の後側の端面近傍にかけて、籠の胴部及び第１風洞を略環状に取り巻く第２側面を取り付けて第２風洞を構成し、第２側面の後側の端面と第１側面の後側の端面との間の空間を第２導入口とする。
また、底部から３番目の仕切から前記第２側面の後側の端面を越えて、籠の胴部及び第２風洞を略環状に取り巻く第３側面を取り付けて第３風洞を構成し、第３側面と第２側面の後側の端面との間の空間を第３導入口とし、第３側面には第１風洞と第２風洞及び籠の底部を囲うようにして風洞後面を取り付ける。
また、風洞後面には開口を設け、開口にファンとヒータを取り付け、籠の底部には整流板を取り付け、底部から３番目の仕切とケーシングの前面との間、第３側面とケーシングの天井面、床面又は側面のいずれかとの間及び風洞後面とケーシングの後面との間にそれぞれ空間を設けて、これを帰道風洞としたペットの乾燥機とする。
本発明は、請求項１の発明に対し風洞を３個に限定したものである。重複した記載を避けるためすでに請求項１に記載した説明は省略する。
請求項３の発明は、請求項１又は請求項２のいずれかに記載したペットの乾燥機において、帰道風洞を構成するケーシングの天井面又は側面の少なくともいずれかに開口を設けて網を取り付け、さらに、帰道風洞を構成するケーシングの後面に開口を設けてフィルタを取り付けたペットの乾燥機とする。
帰道風洞を構成するケーシングの天井面又は側面の少なくともいずれかに開口を設けたのは、ケーシングの中の空気の湿度が高くならないように換気するためである。ケーシングの中の空気にはペットの毛などの塵埃が含まれるので、開口には網を張りペットの毛などの塵埃が外に出ないようにすることが好ましい。
ケーシングの後面に開口を設けたのは、外気を導入することにより、ペットに送風する温風の湿度を下げるようにしたものである。このときケーシングの後面の開口にはフィルタを取り付けて塵埃が入ることを防止することが好ましい。
請求項４の発明は、請求項１〜請求項３のいずれかに記載したペットの乾燥機において、扉にペットが外に顔を出すことを可能とする首穴を設けたペットの乾燥機とする。
扉に首穴を設けることによりペットが首穴から首を出すことを可能な構成にして、ペットが顔に温風の吹き付けを受けることをなくしたものである。ペットは顔に温風の吹き付けを受けると、目や鼻の中の粘膜や肺が乾燥してしまい病気を罹患しやすくなるが、これを防ぐためである。
請求項５の発明は、請求項４に記載したペットの乾燥機において、扉が上下方向に長大な長穴を有するものとし、前記扉に穴を有する首穴板を重ね、前記長穴と前記穴とで構成する開口を首穴としたペットの乾燥機とする。
扉の長穴を、上部に設けた半径の大きな概略半円弧と下部に設けた小さな概略半円弧と上下の概略半円弧を結ぶ２本の直線で構成すると、扉の長穴と首穴板の穴が重なってできる首穴が、上部で大きく下部で小さくなってペットの大きさに合わせた首穴とすることができるため好ましい。
【０００８】
請求項６の発明は、籠の中に格納したペットに温風を吹き付け又は送風することによりペットを乾かすペットの乾燥機において、籠に保持具を取り付け取り外し可能に設け、保持具により差込籠を前面側から見た正面視において籠の中央に保持する構成とし、差込籠が前面に穴を有する筒状の形状を有し、５０％以上の開孔率を有する部材で胴面と底面を構成した差込籠であるペットの乾燥機とする。
本発明は、籠の中に格納したペットに対して温風をノズルにより加速して吹き付け、又は、温風を静風にしてペットに向かって送風することにより、大型のペットを乾燥させることの可能なペットの乾燥機を利用して、小型のペットを乾燥させることに好適なペットの乾燥機を提供するものである。
大型のペットを乾燥させるときには差込籠を使用せず、小型のペットを乾燥させるときに差込籠を使用する。このため保持具は籠の中に取り付け取り外し容易な構成とすることが好ましい。
差込籠を挿入出可能なスペーサを保持具として、籠の中にはめ込んだり、マグネット、パッチン錠、位置決めピン又はバネを使用したり、ビス止めするなどして籠に固定する構成がある。また、吊り下げフックを利用して差込籠を籠の中に吊り下げる構成の保持具としたり、台を取り付けてその上に差込籠を載せる構成の保持具とするなど好ましい。
差込籠は小型のペットに合わせたサイズを有し、胴面と底面を５０％以上の開孔率を有する部材で構成する。差込籠の材料としては打ち抜き材料、網状の材料、格子状の材料、簀の子状の材料、エキスパンドメタル状の材料などが考えられ、胴面や底面の全面積に対する空間の比率である開孔率が５０％以上になるようにする。開孔率は６０％、７０％、８０％、９０％と高くすれば高いほど良く、可能な限り開孔率を１００％に近づけることが好ましい。
しかし、開孔率を高くするために過度に目の粗い材料でペットの足が乗る部分を構成するとペットが足を踏み外す問題が生じる。かかる場合は、ペットの足が乗る部分のみ開孔率の低い材料として、他の部分に開孔率の高い部材を用いることにより、全体として高い開孔率を有する胴部とする方法は有効である。
そして、差込籠の前面に穴を設ける。差込籠の前面に穴を設けることによりペットが差込籠と扉の両方の穴が重なってできた首穴から首を出すことを可能な構成にして、ペットが顔に温風の吹き付けを受けることをなくしたものである。ペットは顔に温風の吹き付けを受けると、目や鼻の中の粘膜や肺が乾燥してしまい病気を罹患しやすくなるが、これを防ぐためである。
また、差込籠の前面若しくは底面のいずれか又は前面及び底面の両方を、取り付け取り外し容易な蓋としたりあるいは開閉可能な扉を設けて、差込籠の中にペットを出し入れ可能に構成する。
そして、差込籠を籠の中に取り付けた後に、ケーシングの扉を閉めることにより差込籠の前面を扉で押さえ、差込籠の前後方向の位置を固定する構成とすることは好ましい。
請求項７の発明は、籠の中に格納したペットに温風を吹き付け又は送風することによりペットを乾かすペットの乾燥機において、保持具を有しまた前面に穴を有する筒状の差込籠であって、５０％以上の開孔率を有する部材で胴面と底面を構成した差込籠を、前面側から見た正面視において籠の中央に取り付け可能に構成したペットの乾燥機とする。
本発明は、請求項６の発明が籠に取り付けた保持具により差込籠を保持する構成であるのに対して、保持具を有する差込籠を籠の中に取り付ける構成としたものである。重複した記載を避けるためすでに請求項６に記載した説明は省略する。
以上の全てのペットの乾燥機において、籠の下に容器を設けたペットの乾燥機とすることが好ましい。
ペットを乾燥させるときにはペットから水滴や毛などが落下するが、籠の下に容器を置けば水滴や毛などが容器に収容され、容器を引き出して回収することや掃除をすることが容易となるからである。
【実施例１】
【０００９】
以下本発明の実施例１を図１及び図２に示し説明する。実施例１のペットの乾燥機１は大型のペット用の乾燥機である。
実施例１はケーシング３と、前方部を開口２ｃとした籠２と、第１風洞６と、第２風洞５と、第３風洞４及び帰道風洞３ｅを有している。
ケーシング３は、前面３ａと後面３ｂと２枚の側面３ｃと天井面３ｄを有する直方体形状のものとし、側面３ｃには開口を設けて網戸１２を取り付け、後面３ｂには開口を設けてフィルタ１１を取り付けた。
籠２は開孔率８０％のエキスパンドメタルからなり、胴部２ａと底部２ｂを有するものとし、籠の開口２ｃをケーシング３の前面３ａに取り付けた。ケーシングの前面３ａには籠２の開口２ｃに合わせた穴を開け、その穴を塞ぐようにして扉１４を取り付けた。
また、籠２の胴部２ａの外側を前後方向において３個の仕切で分割し、最も底部２ｂに近い第１仕切６ａから底部２ｂ近傍にかけて胴部２ａを略環状に取り巻く第１側面６ｂを取り付けて第１風洞６を構成し、第１側面６ｂの後側の端面と籠の胴部との間の空間を第１導入口６ｃとした。
また、２番目に底部２ｂに近い第２仕切５ａから第１側面６ｂの後側の端面を越えて、籠の胴部２ａ及び第１風洞６を略環状に取り巻く第２側面５ｂを取り付けて第２風洞５を構成し、第２側面５ｂの後側の端面と第１側面の後側の端面との間の空間を第２導入口５ｃとした。
また、底部２ｂから３番目の第３仕切４ａから第２側面５ｂの後側の端面を越えて、籠の胴部２ａ及び第２風洞５を略環状に取り巻く第３側面４ｃを取り付けて第３風洞４を構成し、第３側面４ｃと第２側面５ｂの後側の端面との間の空間を第３導入口４ｄとし、第３側面４ｃには第１風洞６と第２風洞５及び籠の底部２ｂを囲うようにして風洞後面４ｂを取り付けた。
そして、風洞後面４ｂには開口４ｅを設け、開口４ｅにファン９とヒータ８を取り付け、籠の底部２ｂには整流板７を取り付け、第３仕切４ａとケーシングの前面３ａとの間、第３側面４ｃとケーシングの天井面３ｄ、床面及び側面３ｃとの間、さらには風洞後面４ｂとケーシングの後面３ｂとの間にそれぞれ空間を設けて、これを帰道風洞３ｅとした。
扉１４には上部の概略半円弧と下部の概略半円弧と上下の概略半円弧を結ぶ接線とからなる長穴１４ａを設けた。このとき上部の半円弧の半径の方が下部の半円弧の半径より大きな半径になるように構成した。
また、首穴板１６を扉１４に沿ってスライド可能に拘束する２本のガイド１４ｅと首穴板１６の位置決めを行うためのボルト１４ｇを取り付けた。そして、穴１６ａを有する首穴板１６を扉１４に重ねて取り付け、穴１６ａの半径を扉１４の上部の概略半円弧の半径と同じとした。
そして、首穴板１６を上下にスライドさせ、あるいは首穴板１６の上下をひっくり返して取り付けるなどして、扉１４の下部の概略半円弧の中心と穴１６ａの中心を一致する位置から扉１４の上部の概略半円弧の中心と穴１６ａの中心が一致する位置までの任意の高さにに首穴板１６を位置決め可能に構成した。
また、籠２の下には容器２０を設け図示しない取っ手っを押し引きすることにより、容器２０を引き出すことを可能に取り付けた。さらに、各風洞４、５、６の下面には図示しない複数の穴を設けた。
【００１０】
実施例１は上記のように構成されており以下その作用について説明する。例えば犬を洗った後に乾燥させるため実施例１のペットの乾燥機１を使用する飼い主やトリマーは、首穴の高さを犬に合わせて設定する。
首穴板１６をスライドさせて穴１６ａの高さを調節したり、ガイド１４ｅから首穴板１６を抜き出してひっくり返した後に、ガイド１４ｅに差し込んでスライドさせて穴１６ａの高さを調節した後に、ボルト１４ｇで首穴板１６を位置決めする。
このようにすると、最も低い場合は扉１４の下部の概略半円弧と穴６ａの上方の円弧とで構成する首穴となり、最も高い場合は扉１４の上部の概略半円弧と一致する穴６ａで構成する首穴となる。また、中間の場合は扉１４の長穴１４ａの直線と穴６ａの上下の円弧とで構成する首穴となる。  
そして、扉４を開けて犬を籠２に格納して扉４を閉めた後に、飼い主やトリマーが声がけすると犬は首穴から顔を出して飼い主やトリマーに触れ合おうとする。このように、本発明は小型の犬から大型の犬まで自由に首穴の高さを調整可能としたものである。
その後ファン９を駆動すると、空気はヒータ８により暖められ整流板７に沿って中央から外側に向かって流れる。その後一部の温風は籠の底部２ｂを通過して後ろから前方に向かって流れる。
また、一部の温風は第１導入口６ｃから第１風洞に入り籠の第１仕切から底部２ｂまでの胴部２ａを通過して外側から中央に向かって流れる。また、一部の温風は第２導入口５ｃから第２風洞５に入り籠の第２仕切５ａから第１仕切６ａまでの胴部２ａを通過して外側から中央に向かって流れる。さらに、一部の温風は第３導入口４ｄから第３風洞４に入り籠の第３仕切４ａから第２仕切５ａまでの胴部２ａを通過して外側から中央に向かって流れる。
犬に送風した温風は、第３仕切４ａとケーシングの前面３ａの間、第３側面４ｃとケーシングの天井面３ｄ、床面及び側面３ｃとの間、さらには風洞後面４ｂとケーシングの後面３ｂとの間にそれぞれ設けた空間で構成した帰道風洞３ｅを通り還流して、再びファン９により送風される。
帰道風洞３ｅの途中には網戸１２が取り付けてあるので一部の空気は網戸１２から外に流れる。また、網戸から外に流れた空気と同じ量の外気が後面３ｂに取り付けたフィルタ１１を通過して流れ込み、帰道風洞３ｅを通って還流してきた空気と混合してファン９により送風されるので、ファン９により送風される空気の湿度が過度に高くなることはない。
本発明では犬の体の全体に温風を当てるよう、籠の底部２ｂから前方に向かって送風し、かつ、籠の胴部２ａの全面から中央に向かって送風する構成としたので、犬の体全体にまんべんなく温風を当て、犬の腹や、尾と体が接触する部分や、脇の下などに局部的に乾きの悪い部分が生じない。
また、犬が扉１４と首穴板１６とで構成した首穴から顔を出した状態で温風を当てるため、犬の顔に温風を当てることがなく、犬が目や鼻や肺の病気を罹患しやすくなることはない。
さらに、犬の体から落下した水滴や毛などは、籠２の胴部２ａ、各風洞４、５、６の下面に設けた図示しない穴を通過して、籠２の下に置いた容器２０に収容されるので、容器２０を引き出して回収することは容易である。
【実施例２】
【００１１】
次に小型のペットを乾燥させるために使用する実施例２を図３及び図４に示し説明する。実施例２の発明は実施例１に対して籠２の中にスペーサ１８を取り付け、差込籠１７を挿入出可能に取り付けた点で異なる。
また、実施例２では首穴板１６を使用する必要がない点で実施例１とは異なるがその他の構成は実施例１と同様である。そこで、実施例１に記載した内容については重複した説明を避けるため記載しない。
差込籠１７は円筒形状を有し、胴面１７ｃ、ヒンジを使用した開閉可能な底扉１７ｅを有する底面１７ｄ及び前面に取り付けた蓋１７ａであって、小型の犬に合わせた小さな穴１７ｂを有する蓋１７ａとからなるものとした。
スペーサ１８は差込籠の胴面１７ｃと底面１７ｄの一部を保持するものとし、差込籠１７を挿入して扉１４を閉めたときに差込籠１７の前後方向の位置が固定され、前から見て差込籠１７が籠２の中央に位置し、蓋１７ａが扉１４に重なり、穴１７ｂと長穴１４ａの位置が一致して首穴を構成するようにした。
また、スペーサ１８の外寸は籠２の内寸と一致するサイズを有するものとし、図示していないマグネットを使用してスペーサ１８を籠２に固定し、温風の流れを阻害しないようスペーサ１８にはなるべく大きな開口１８ａを設けた。
実施例２のペットの乾燥機を使用して小型の犬を乾燥する場合は、差込籠の蓋１７ａを外して犬を入れた後に蓋１７ａを取り付ける。犬が差込籠の中に入ることをいやがる場合は底扉１７ｅを開いて犬に向け、穴１７ｂから飼い主やトリマーが声がけすると犬は素直に差込籠１７に入る。
その後、差込籠１７をスペーサ１８の中に挿入して扉１４を閉め、飼い主やトリマーが声がけすると犬は長穴１４ａと穴１７ｂが重なってできた首穴から顔を出して飼い主やトリマーに触れ合おうとする。
実施例２の発明では、小型のペット専用サイズの差込籠１７に小型のペットを入れるので、ペットが籠の中の片寄った位置に寄ってしまう問題がなくなり、最も効率的にペットを乾燥させることができる位置にペットが居るようにすることが可能である。
【産業上の利用可能性】
【００１２】
本発明は、ペットの乾燥機を製造販売する産業、ペット関連物品を流通させたり販売する産業及びペットを対象としたトリミングサービスや獣医による医療サービスなどを提供する産業に利用される。
【図面の簡単な説明】
【００１３】
【図１】実施例１の前方から見た斜視図である。
【図２】実施例１の平面視断面図である。
【図３】実施例２の平面視断面図である。
【図４】差込籠の斜視図である。
【符号の説明】
【００１４】
１  ：ペットの乾燥機        ２  ：籠                    ２ａ：胴部
２ｂ：底部                  ２ｃ：開口                  ３  ：ケーシング
３ａ：前面                  ３ｂ：後面                  ３ｃ：側面
３ｄ：天井面                ３ｅ：帰道風洞              ４  ：第３風洞
４ａ：第３仕切              ４ｂ：風洞後面              ４ｃ：第３側面
４ｄ：第３導入口            ４ｅ：開口                  ５  ：第２風洞
５ａ：第２仕切              ５ｂ：第２側面              ５ｃ：第２導入口
６  ：第１風洞              ６ａ：第１仕切              ６ｂ：第１側面
６ｃ：第１導入口            ７  ：整流板                ８  ：ヒータ
９  ：ファン              １１  ：フィルタ            １２  ：網戸
１４  ：扉                  １４ａ：長穴                １４ｅ：ガイド
１４ｇ：ボルト              １６  ：首穴板              １６ａ：穴
１７  ：差込籠              １７ａ：蓋                  １７ｂ：穴
１７ｃ：胴面                １７ｄ：底面                １７ｅ：底扉
１８  ：スペーサ            １８ａ：開口                ２０  ：容器
【図１】
2007259746.tif 000003
【図２】
2007259746.tif 000004
【図３】
2007259746.tif 000005
【図４】
2007259746.tif 000006